(57)【特許請求の範囲】
【請求項１】
シリコンゴムからなる左右のリング半体を合体させ、中間に複数個のマグネット小片を周方向に沿って埋設したリングの製造法において、固定型板の成形溝に片側のリング半体を成形し且つリング半体の表面部の周方向に沿って、狭めた口先部を突出状とした凹穴を複数個所形成する工程と、先細状に形成した治具で支持されたマグネット小片を、前記凹穴内に一端部を突出させて挿着する工程と、固定型板に対設した可動型板の成形溝に他側のリング半体を成形し且つ該リング半体を、前記片側のリング半体と一体状にする工程からなる局部用健康リングの製造法。
【発明の詳細な説明】
【０００１】
【発明の属する技術分野】
本発明は、男性局部であるペニスの活性化に好適する局部用健康リングの製造法に関する。
【０００２】
【従来の技術】
ペニスにフィットするリングの周方向に沿ってマグネット小片を複数個所に配置し、磁力線放射によって血行を良くすることを目的とした局部用リングは従来から知られている。例えば登録実用新案第３０３１３８７号の公報に開示された技術もそのひとつである。
【０００３】
この技術によれば図４（イ）に示すように、先ず上下型からなる成形型（図を省略）で半割り状の第１リング５０を成形し該リング５０に形成した複数の挿入溝５１にマグネット小片５２を１個づつ挿入してゆき、全てのマグネット小片５２の挿入が終了した段階で図４（ロ）のように第１リング５０を別の成形型５３にセットし、上型５３ａにシリコンゴムを注入して得た半割り状の第２リング５４を第１リング５０と一体にして図４（ハ）に示すリング５５を完成するというものである。
【０００４】
【発明が解決しようとする課題】
上記の従来技術によると、第１リング５０をあらかじめ成形し、成形型から取り外した後、挿入溝５１にマグネット小片５２を１個づつ挿入するという煩わしい手数を要するので作業能率が悪く、その上マグネット小片５２は、上方から単に挿入溝５１に入れたにすぎないため傾けたり金属を近付けると脱出しやすい不都合がある。そしてマグネット小片５２を取り付けた第１リング５０を別の成形型５３にセットするとともに次に該成形型５３で第２リング５４を成形しなければならず、リング５５を完成させるためにはこのような面倒な工程を経るという問題点があり、しかも得られたリング５５は、複雑な工程を要したためその分コスト高となる不利を伴っていた。
【０００５】
本発明はこのような従来の実状に鑑みてなされたもので、その都度金型から第１リングを取り外したり、マグネット小片の取り付けに面倒な手数がかゝらず、またマグネット小片が片方のリングから飛び出す恐れもなく、一連の連続工程で能率的に健康リングが得られ、然もリング内のマグネット小片の血行促進機能が効率的に働くことを所期した健康リングの製造法を提供することを目的とする。
【０００６】
【課題を解決するための手段】
すなわち本発明は、シリコンゴムからなる左右のリング半体を合体させ、中間に複数個のマグネット小片を周方向に沿って埋設したリングの製造法において、固定型板の成形溝に片側のリング半体を成形し且つリング半体の表面部の周方向に沿って、狭めた口先部を突出状とした凹穴を複数個所形成する工程と、先細状に形成した治具で支持されたマグネット小片を、前記凹穴内に一端部を突出させて挿着する工程と、固定型板に対設した可動型板の成形溝に他側のリング半体を成形し且つ該リング半体を、前記片側のリング半体と一体状にする工程からなることで上記の目的を達成できる。
【０００７】
【発明の実施の形態】
図面を参照して本発明を説明すると、図１（イ）において１は固定型板でありその成形溝２にシリコンゴムを注入して片側のリング半体３を成形する。実際は成形溝２が固定型板１に縦横それぞれ３ケ所ずつ計９ケ所設けられているが、説明の便宜上図では１ケ所として示す。そして上記リング半体３の表面部周方向に沿って凹穴４が等間隔に８ケ所形成され、各凹穴４は、狭めた口先部４ａを突出状に形成している。
【０００８】
上記片側のリング半体３を固定型板１に取り付けた状態のまゝ、図１（ロ）・（ハ）に示すように治具５を用いて凹穴４の内面にフィットするマグネット小片６を凹穴４内に挿着する。凹穴４に対向する治具５は先細状に形成しておき、この治具５を固定型板１に向けて可動すると、治具５の先端が口先部４ａを押し広げつつ凹穴４内にマグネット小片６を押し出し、マグネット小片６は凹穴４内に確固として固定される。
【０００９】
マグネット小片６の径は凹穴４の口先部４ａよりも大きめとなっているので、挿着されたマグネット小片６は該口先部の圧接を受けて凹穴４から脱出する恐れはない。またマグネット小片６は凹穴４の深さの２倍程度の長さにしておくことによって、治具５を取り外した後のマグネット小片６の他端は口先部４ａの外方に突出することとなる（図２（イ）参照）。
【００１０】
なお磁石はＮ極からＳ極に向けて磁力線が発せられるので、上記リングにおける全てのマグネット小片６を図２（ロ）のように、Ｎ極側がリングの内面に向くように設置することが好ましい。
【００１１】
上記のほか図２（ハ）のようにリングにおける隣接するマグネット小片６のＮ極側とＳ極側がリングの内面に向けて交互に設置されるようにすると、Ｎ極とＳ極が互いに吸引する性質が働くのでこの場合もペニスに対し有効に作用することが所期される。
【００１２】
凹穴４にマグネット小片６を挿着した工程の後で図３（イ）のように、固定型板１に対設した可動型板７の成形溝８にシリコンゴムを注入して他側のリング半体３’を成形するとともに、可動型板７を固定型板１に密着させ、そしてリング半体３’を加熱状態のまま片側のリング半体３と結合一体化することによりリングＲが完成する。
【００１３】
上記の工程を経て型板より取り出された図３（ロ）のリングＲの周方向には複数個のマグネット小片６（図では８個）が埋設され、このマグネット小片６は左右のリング半体３・３’の中間に位置し、Ｎ極を内周側に向けた場合はペニスに装着したときに、Ｎ極から発せられる磁力線がペニスに向けて放射され、またＮ極とＳ極を交互に配置するマグネット小片６は、隣接するマグネット小片同士に磁力線が作用する方向に働くので、この場合もペニスに対する磁気作用が有効に働くことが所期される。
【００１４】
なお完成したリングは、マグネット小片６がシリコンゴムに埋設状態となるため露出状態よりも磁気作用が低下することは免れないが、その場合あらためて着磁器を用いて外側から磁気を加え２０００ガウス程度にすることが望まれる。
【００１５】
【発明の効果】
固定型板で成形されたリング半体の凹穴の口先部を狭めて形成し、この中にマグネット小片を押し込み状に挿着するので、金属に近づけたり傾けてもマグネット小片が飛び出す恐れはなく作業がスムーズにできるとともに、従来のように凹穴内に１個づつ挿入する不便を排して一度に複数個を同時に挿着するので頗る能率的に作業ができる。
【００１６】
マグネット小片を挿着する際に固定型板よりリング半体を取り外す必要がなくリング半体成形後そのまゝの位置でマグネット小片を挿着するので、作業が遅滞なく行われる。
【００１７】
マグネット小片を取り付け後も固定型板側のリング半体は取り外すことを要さずに、可動型板で成形された他側のリング半体をそのまゝ固定型板に押し付けてリングを完成できる。即ち従来のように多数の工程を要さず連続工程でリングを能率的迅速に形成でき、従って無駄な労力を省いて製品を安価に提供できる。
【図面の簡単な説明】
【図１】  （イ）は固定型板に片側のリング半体を成形した説明図、（ロ）はリング半体にマグネット小片を挿着する説明図、（ハ）はリング半体の凹穴に治具を望ませた拡大図である。
【図２】  （イ）はマグネット小片を挿着したリング半体の説明図、（ロ）はマグネット小片のＮ極をリングの内面に向けて配置した説明図、（ハ）はＮ極とＳ極を交互にしたマグネット小片の説明図である。
【図３】  （イ）は固定型板のリング半体に可動型板のリング半体を合体した説明図、（ロ）は完成したリングの斜視図である。
【図４】  （イ）〜（ハ）は従来のリングの製造過程を示す説明図である。
【符号の説明】
１    固定型板
２    成形溝
３    片側のリング半体
３’  他側のリング半体
４    凹穴
４’  口先部
５    治具
６    マグネット小片
７    可動型板
８    成形溝
Ｒ    リング
【図１】
0003738364.tif 000002
【図２】
0003738364.tif 000003
【図３】
0003738364.tif 000004
【図４】
0003738364.tif 000005